(57)【特許請求の範囲】
【請求項１】
機関出力軸及びカム軸の一方及び他方とそれぞれ同期回転するとともに、同軸を有して相対回動可能に配設された第１及び第２の回転体を備える可変バルブタイミング機構に設けられ、前記第１の回転体に形成されたロック穴に前記第２の回転体に配設されたロックピンの先端を係合することで前記第１及び第２の回転体の相対回動を係止するロック機構であって、
前記第２の回転体に形成された収容孔と、その収容孔の前記ロックピンの基端側の開口が閉塞されて前記収容孔に前記ロックピンの収容空間及びガイド穴を形成しているとともに、同ガイド穴の中心軸に向けて膨出されており前記ロックピンの外周と摺接する摺接面を有するガイドブッシュと、前記収容空間の前記ガイド穴の外側と当該可変バルブタイミング機構の外部とを連通するドレイン通路と、を備えるとともに、
前記摺接面よりも前記ロックピンの基端側における前記ガイド穴の内部と、前記収容空間の前記ガイド穴の外側とを連通する連通孔が前記ガイドブッシュに形成され、
前記連通孔は、前記摺接面よりも前記ロックピンの基端側における前記ガイド穴の内周から、同ガイド穴の径方向に延伸され、
前記連通孔における前記ロックピンの軸方向であって前記連通孔が延伸される方向に垂直な面の断面積は、前記摺接面と前記ロックピンにおいて当該摺接面に対向する部分との間に形成される隙間における前記ガイド穴の径方向であって前記ロックピンの軸方向に垂直な面の断面積よりも大きくされている
ことを特徴とする可変バルブタイミング機構のロック機構。
【請求項２】
当該ロック機構は、前記ロックピンに外挿される環形状のアウターピンを備え、前記アウターピンの前記ロックピンの基端側への変位に応じて前記ロックピンがその基端側に変位される二重ピン構造のロック機構として構成されてなる
請求項１に記載の可変バルブタイミング機構のロック機構。
【請求項３】
当該ロック機構は、前記第１及び第２の回転体の相対回動範囲の中間において、それら２つの相対回動を係止する
請求項１又は２に記載の可変バルブタイミング機構のロック機構。
【発明の詳細な説明】
【技術分野】
【０００１】
本発明は、可変バルブタイミング機構のロック機構に関する。
【背景技術】
【０００２】
車載等の内燃機関に搭載される機構として、機関バルブ（吸／排気バルブ）のバルブタイミングを可変とする可変バルブタイミング機構が実用されている。そして、そうした可変バルブタイミング機構として、例えば特許文献１に見られるようなベーン式の可変バルブタイミング機構が知られている。
【０００３】
図４に例示するベーン式の可変バルブタイミング機構は、カム軸に一体回転可能に固定されたベーンローター１と、カムスプロケット２に一体化されたハウジング３との２つの回転体を備えている。なお、カムスプロケット２は、機関出力軸であるクランクシャフトにチェーンを介して駆動連結されている。
【０００４】
ベーンローター１は、円柱形状のローター本体４と、その外周に突出する複数のベーン５とを備えている。またハウジング３は、カムスプロケット２と、そのカムスプロケット２によって背面が覆われた、略円環形状のリング部６と、そのリング部６の前面を覆うカバー７とを備え、ベーンローター１をその内部に収容している。ベーンローター１とハウジング３とは、同軸を有して相対回動可能に組み付けられている。
【０００５】
ハウジング３のリング部６の内周には、ベーンローター１の各ベーン５をそれぞれ収容する複数の凹部８が形成されている。そしてリング部６の内周の凹部８は、ベーン５によって２つの油室に区画されている。このうち、ベーン５のカムシャフト回転方向に形成された油室は、ハウジング３に対してベーンローター１をカムシャフト反回転方向に相対回動させるための油圧が導入される遅角油室９となっている。またベーン５のカムシャフト反回転方向に形成された油室は、ハウジング３に対してベーンローター１をカムシャフト回転方向に相対回動させるための油圧が導入される進角油室１０となっている。
【０００６】
進角油室１０にオイルを供給し、遅角油室９からオイルを排出すると、ベーン５の両側に作用する油圧の差によって、ベーンローター１がハウジング３に対してカムシャフト回転方向に相対回動される。これにより、ベーンローター１に一体回転可能に固定されたカムシャフトの回転位相が進められて、そのカムシャフトに設けられたカムにより開閉駆動される機関バルブのバルブタイミングが進角される。一方、遅角油室９にオイルを供給し、進角油室１０からオイルを排出すると、ベーン５の両側に作用する油圧の差によって、ベーンローター１がハウジング３に対してカムシャフト反回転方向に相対回動される。これにより、ベーンローター１に一体回転可能に固定されたカムシャフトの回転位相が遅らされて、そのカムシャフトに設けられたカムにより開閉駆動される機関バルブのバルブタイミングが遅角される。一方、両油室（９、１０）の油圧を均衡させると、ハウジング３に対するベーンローター１の相対回動が、そしてひいてはカムシャフトの回転位相が固定されて、バルブタイミングが一定に保持される。
【０００７】
こうしたベーン式の可変バルブタイミング機構では、内燃機関の始動時には、両油室（９、１０）からオイルが抜けているため、油圧によるバルブタイミングの保持が不能となる。そこで、ベーン式の可変バルブタイミング機構には、そうした内燃機関の始動時にも、バルブタイミングを適切な時期に保持できるように、ハウジング３に対するベーンローター１の相対回動を係止するロック機構が設置されている。
【０００８】
ロック機構は、ベーンローター１のベーン５に形成された収容孔１１と、その収容孔１１に進退可能に収容されたロックピン１２と、カムスプロケット２に形成されたロック穴（図示略）とを備えている。ロックピン１２は、スプリング１３によって先端側、すなわちカムスプロケット２に形成されたロック穴に嵌入する方向に常時付勢されるとともに、両油室（９、１０）の油圧によって後方、すなわちロック穴から離脱する方向に押圧されるようになっている。そのため、ロックピン１２は、両油室（９、１０）の油圧が抜けた内燃機関の始動時には、スプリング１３の付勢力で先端側に突出する。そしてその突出したロックピン１２がロック穴に係合することで、ハウジング３に対するベーンローター１の相対回動が係止される。
【０００９】
ところで、近年には、吸気バルブの閉弁時期を吸気下死点よりも大幅に遅角することで、アトキンソンサイクルによる内燃機関の運転を実現するベーン式可変バルブタイミング機構の実用化が進められている。こうしたベーン式可変バルブタイミング機構では、吸気バルブのバルブタイミングが最遅角とされた状態では、十分な圧縮比を確保できず、内燃機関の始動を保証できないことがある。そこでこうした可変バルブタイミング機構では、最遅角位相から一定の角度だけ進角した位置で、ハウジング３に対するベーンローター１の相対回動を係止するように構成されたロック機構が採用されている。こうしたロック機構は、最進角位相と最遅角位相との中間の位相で相対回動の係止を行うことから、中間ロック機構と呼ばれている。
【００１０】
なお、中間ロック機構を備える可変バルブタイミング機構では、内燃機関の停止時に、中間ロック機構の作動に失敗して、内燃機関の始動開始時に中間ロック機構のロックピンがロック穴から抜けた状態となっていることがある。こうした場合、内燃機関の始動開始時に、中間ロック位相までベーンローター１を速やかに回動させて、ハウジング３に対するベーンローター１の相対回動を中間ロック機構により係止させる必要がある。
【００１１】
このときのベーンローター１の回動は、可変バルブタイミング機構のハウジング３のロック穴の形成面に、次のようなラッチ溝を設けることで実現されている。ラッチ溝は、ロック穴を起点とし、そのロック穴からカムシャフト反回転方向に延伸された円弧状の溝で、ロック穴から離れるにつれて階段状に溝深さが浅くなるように形成されている。なお、以下では、ラッチ溝の溝深さが最も浅い部位をラッチ溝の最初の段と記載し、次に溝深さが浅い部位をラッチ溝の２番目の段と記載する。
【００１２】
こうしたラッチ溝を利用した中間ロック位相へのベーンローター１の回動は、次の態様で行われる。回転するカムシャフトには、カムによる機関バルブの開閉駆動に伴う反力、すなわちカム駆動反力が作用し、カムシャフト回転中のベーンローター１にも、そうしたカム駆動反力が作用する。そのため、両油室（９、１０）の油圧が抜けた状態では、ベーンローター１は、そうしたカム駆動反力によって、ハウジング３に対して揺動するようになる。そしてそうした揺動により、ベーンローター１がハウジング３に対して一定量進角側に回動すると、ロックピン１２がラッチ溝の最初の段に嵌入する。こうしてロックピン１２がラッチ溝の最初の段に嵌入すると、ベーンローター１の遅角側への回動は、ラッチ溝の遅角側の端の段差によって規制されるため、ベーンローター１の揺動範囲は、ラッチ溝の最初の段の遅角側の端よりも進角側の範囲となる。そこからベーンローター１がハウジング３に対して一定量進角側に回動し、ロックピン１２がラッチ溝の２番目の段に嵌入すると、ベーンローター１の遅角側への回動は、ラッチ溝の２番目の段と最初の段との段差によって規制されるため、ベーンローター１の揺動範囲は、ラッチ溝の２番目の段の遅角側の端よりも進角側の範囲となる。以後、同様にして、ロックピン１２は、順次、ラッチ溝の溝深さが深い段に嵌入し、ベーンローター１の揺動範囲は、徐々に進角側に移動する。そして最終的にベーンローター１は、中間ロック位相まで回動されるようになる。
【００１３】
こうした中間ロック位相へのベーンローター１の回動を速やかかつ確実に行うには、ベーンローター１がカム駆動反力で制約を受けずに円滑に揺動される必要がある。ここで、遅角油室９と進角油室１０とが完全に遮断された状態にあると、ベーンローター１の進角側への揺動に応じて進角油室１０の容積が増大すると、進角油室１０に負圧が発生してベーンローター１の揺動が妨げられるようになる。また、両油室（９、１０）にオイルが充填されていると、ベーンローター１の揺動に応じた油室（９、１０）の容積の縮小に応じてオイルが圧縮されるため、これもまた、ベーンローター１の揺動の妨げとなる。そのため、ベーンローター１の可動性を十分に確保するには、このときの両油室（９、１０）を連通させることが望ましい。
【００１４】
そこで、そうした両油室（９、１０）の連通を実現するための機構として、図５に示すような二重ピン構造のロック機構が考えられている。
同図に示すように、ベーンローター１のベーン５の一つには、そのベーン５を貫通する収容孔２０が形成されている。そしてその収容孔２０には、インナーピン２１とアウターピン２２との２つのピンが収容されている。
【００１５】
一方、可変バルブタイミング機構のハウジング３を構成するカムスプロケット２には、周方向に延びるロック溝３５が形成されている。そして、そうしたロック溝３５の途中には、その深さが一段大きくされたロック穴３６が形成されている。このロック穴３６は、ベーンローター１及びハウジング３の相対回動範囲の中間に設定された中間ロック位相にベーンローター１が回動されたときに、インナーピン２１と重なる位置に形成されている。そしてそのロック穴３６にインナーピン２１が係合することで、ベーンローター１とハウジング３との相対回動が係止されるようになっている。
【００１６】
インナーピン２１は、軸方向に貫通する貫通孔２１ａが形成された略中空円筒形状に形成されている。そしてその外周には、略円環形状に形成されたアウターピン２２が軸方向に摺動可能に外挿されている。インナーピン２１の軸方向中央の外周には、周方向に突き出した凸部３２が形成されており、インナーピン２１に対するその基端側へのアウターピン２２の摺動がこの凸部３２との当接により係止されるようになっている。
【００１７】
インナーピン２１の基端側における収容孔２０の開口には、略筒状のガイドブッシュ２３が圧入により固定されている。またインナーピン２１の先端側における収容孔２０の開口には、インナーピン２１の先端が通過できるだけの円孔２４が中央に形成された環状のリングブッシュ２５が圧入により固定されている。そして、これらガイドブッシュ２３及びリングブッシュ２５により両端の開口を閉塞することで、収容孔２０内に、インナーピン２１及びアウターピン２２の収容空間２６が形成されている。
【００１８】
なお、ガイドブッシュ２３には、インナーピン２１の基端部分が挿入されるガイド穴２７が形成されている。インナーピン２１の先端側におけるガイド穴２７の内周は、インナーピン２１の基端部分の外径とほぼ等しくされ、インナーピン２１の外周と摺接する摺接面２７ａとなっている。一方、インナーピン２１の基端側におけるガイド穴２７の内周は、インナーピン２１の基端部分の外径よりも大きくされている。
【００１９】
インナーピン２１とガイドブッシュ２３との間には、インナーピンスプリング２８が介設されている。そしてインナーピン２１は、このインナーピンスプリング２８によって、先端側に向けて常時付勢されている。またアウターピン２２とガイドブッシュ２３との間には、アウターピンスプリング２９が介設されている。そしてアウターピン２２は、このアウターピンスプリング２９によって、インナーピン２１の先端側に向けて常時付勢されている。
【００２０】
一方、収容孔２０内のアウターピン２２とリングブッシュ２５との間には、アウターピン解除油室３０が区画形成されている。アウターピン解除油室３０には、アウターピン解除油路３１が接続されている。そして、アウターピン解除油室３０には、このアウターピン解除油路３１を通じて、アウターピン２２を解除、すなわちアウターピンスプリング２９の付勢力に抗してインナーピン２１の基端側にアウターピン２２を変位させるための油圧が導入されるようになっている。なお、インナーピン２１がその先端側に変位した状態でアウターピン２２が後退すると、インナーピン２１の外周に形成された凸部３２がアウターピン２２の内周と当接して、インナーピン２１もアウターピン２２と共にその基端側に後退されるようになっている。
【００２１】
また収容孔２０の側周には、可変バルブタイミング機構の遅角油室９、進角油室１０にそれぞれ連通する油室連通路３３，３４が接続されている。これら油室連通路３３，３４の収容孔２０の側周における開口は、アウターピン２２がインナーピン２１の基端側に後退したときに、そのアウターピン２２によって閉塞されるようになっている。
【００２２】
次に、こうした二重ピン構造のロック機構の動作を説明する。
内燃機関の始動開始時には、アウターピン解除油室３０はオイルが抜けた状態にあり、アウターピン２２は、アウターピンスプリング２９の付勢力によってインナーピン２１の先端側に前進した状態となっている。そのため、このときの油室連通路３３，３４は、収容孔２０を介して互いに連通されることになる。そして、これにより、可変バルブタイミング機構の遅角油室９と進角油室１０とが互いに連通され、ベーンローター１の円滑な揺動が許容されるようになる。
【００２３】
その後、カム駆動反力による揺動の繰り返しを通じてベーンローター１が中間ロック位相まで回動すると、インナーピンスプリング２８の付勢力により、インナーピン２１がロック穴に嵌入し、ベーンローター１とハウジング３との相対回動が係止される。そして、この状態で内燃機関の始動が行われる。
【００２４】
内燃機関の始動後のバルブタイミングの可変制御の開始に際しては、アウターピン解除油室３０への油圧の供給が行われ、図６に示すように、アウターピンスプリング２９の付勢力に抗してアウターピン２２がインナーピン２１の基端側に後退される。これにより、収容孔２０の側周における油室連通路３３，３４の開口がアウターピン２２により閉塞されて、可変バルブタイミング機構の遅角油室９と進角油室１０との連通が遮断される。また、このときのインナーピン２１は、アウターピン２２と共に後退して、ロック穴から離脱される。その結果、ベーンローター１とハウジング３との相対回動が、すなわち機関バルブのバルブタイミングの変更が許容されるようになる。
【先行技術文献】
【特許文献】
【００２５】
【特許文献１】特開２００６−００９６９４号公報
【特許文献２】特開平１０−１５９５２１号公報
【特許文献３】特開２００２−２５６８２５号公報
【発明の概要】
【発明が解決しようとする課題】
【００２６】
ところで、こうした二重ピン構造のロック機構では、オイル中に混入した異物がインナーピン２１とガイド穴２７との摺動部に入り込み、噛み込んでしまうことがある。こうした場合、インナーピン２１の円滑な動作が阻害されて、ロック機構の作動不良が発生してしまう。
【００２７】
ちなみに、従来には、特許文献２及び３に見られるように、一重ピン構造のロック機構を備える可変バルブタイミング機構において、ロックピンを収容する収容孔のロックピン後背側の部分と可変バルブタイミング機構の外部とを直接連通するドレイン孔を設けたものが提案されている。こうしたドレイン孔を設ければ、ロックピンの後背側から異物を含んだオイルが外部に排出されるようになる。
【００２８】
そこで、上記のような二重ピン構造のロック機構においても、ガイドブッシュ２３に形成されたガイド穴２７のインナーピン２１の後背側の部分を可変バルブタイミング機構の外部に直接連通するドレイン孔を形成すれば、そのドレイン孔を通じて異物が排出されるため、ガイド穴２７とインナーピン２１との摺接部への異物の侵入を抑えられる。しかしながら、摺接部への異物の侵入を確実に防止するには、ドレイン孔通過時のオイルの流動抵抗を、摺接部通過時のオイルの流動抵抗よりも十分小さくする必要があり、ドレイン孔の流路面積をある程度に大きくしなければならなくなる。
【００２９】
ここで、上記のような二重ピン構造のロック機構では、インナーピン２１に形成された貫通孔２１ａのため、ガイド穴２７のインナーピン２１の後背側の部分が密閉されていない構造となっている。そのため、上記のようなドレイン孔を設ければ、そのドレイン孔を通じてオイルが外部に常時漏れ出すようになり、オイルのリーク量が大幅に増大してしまうようになる。
【００３０】
本発明は、こうした実情に鑑みてなされたものであり、その解決しようとする課題は、オイルリーク量の増大を抑えつつ、オイル中の異物の噛み込みによるロック機構の作動不良を好適に抑制することのできる可変バルブタイミング機構のロック機構を提供することにある。
【課題を解決するための手段】
【００３１】
本発明にかかる可変バルブタイミング機構のロック機構は、機関出力軸及びカム軸の一方及び他方とそれぞれ同期回転するとともに、同軸を有して相対回動可能に配設された第１及び第２の回転体を備える可変バルブタイミング機構に設けられる。そして、第１の回転体に形成されたロック穴に第２の回転体に配設されたロックピンの先端を係合することで第１及び第２の回転体の相対回動を係止するように構成されている。
【００３２】
さらに、本発明の可変バルブタイミング機構のロック機構では、上記課題を解決するため、第２の回転体に形成された収容孔と、その収容孔のロックピンの基端側の開口が閉塞されて収容孔にロックピンの収容空間及びガイド穴を形成しているとともに、ガイド穴の中心軸に向けて膨出されておりロックピンの外周と摺接する摺接面を有するガイドブッシュと、を備えるとともに、摺接面よりもロックピンの基端側におけるガイド穴の内部と、収容空間のガイド穴の外側とを連通する連通孔をガイドブッシュに形成するようにしている。
【００３３】
こうした構成では、ロックピンの基端側におけるガイド穴の内部のオイルが連通孔を通じて収容空間のガイド穴の外側に流れるようになる。そのため、ロックピンとガイド穴との摺接部へのオイル中の異物の侵入が抑えられる。しかも、連通孔は、可変バルブタイミング機構の外部に直接連通されていないため、オイルのリーク量の増大は抑えつつ、連通孔の流路面積を大きくすることができる。したがって、上記構成によれば、オイルリーク量の増大を抑えつつ、オイル中の異物の噛み込みによるロック機構の作動不良を好適に抑制することができる。
【００３４】
なお、オイル中の異物は、摺接面よりもロックピンの基端側におけるガイド穴の内周とロックピンの外周との間隙に溜ることが確認されている。そのため、摺接面よりもロックピンの基端側におけるガイド穴の内周より、同ガイド穴の径方向に延伸するように連通孔を形成すれば、そうした間隙に溜った異物をより的確に排除することが可能となり、オイル中の異物の噛み込みによるロック機構の作動不良をより確実に抑えられる。
また、連通孔におけるロックピンの軸方向であって連通孔が延伸される方向に垂直な面の断面積を、摺接面とロックピンにおいて当該摺接面に対向する部分との間に形成される隙間におけるガイド穴の径方向であってロックピンの軸方向に垂直な面の断面積よりも大きく構成すれば、オイルは当該隙間よりも流動抵抗の小さい連通孔を通ってガイド穴の外側に流出しやすくなる。すなわち、ロックピンとガイド穴との摺接部へのオイル中の異物の侵入をより好適に抑えることができる。
【００３５】
また、異物を可変バルブタイミング機構の外部に排出するには、収容空間のガイド穴の外側と可変バルブタイミング機構の外部とを連通するドレイン通路を備えるようにすると良い。ロックピンとガイド穴との摺接部へのオイル中の異物の侵入を確実に抑えるには、オイルが摺接部ではなく、連通孔に向うように、連通孔の流路面積を大きくしなければならない。一方、ドレイン通路は、異物の排出が可能であれば、その流路面積を余り大きくする必要はない。そのため、異物を可変バルブタイミング機構の外部に排出するようにしながらも、オイルリーク量の増大を抑えることが可能である。
【００３６】
ちなみに、本発明の可変バルブタイミング機構のロック機構は、例えば、ロックピンに外挿される環形状のアウターピンを備え、そのアウターピンのロックピン基端側への変位に応じてロックピンがその基端側に変位される二重ピン構造のロック機構として構成することができる。また、本発明の可変バルブタイミング機構のロック機構は、第１及び第２の回転体の相対回動範囲の中間において、それら２つの相対回動を係止する中間ロック機構としての具現化も可能である。
【図面の簡単な説明】
【００３７】
【図１】本発明の可変バルブタイミング機構のロック機構を具体化した一実施の形態についてそのロック機構の側部断面構造を示す断面図。
【図２】図１のＩＩで示される部分を拡大して示す断面図。
【図３】同実施の形態のロック解除途中におけるロック機構の側部断面構造を示す断面図。
【図４】ベーン式の可変バルブタイミング機構の部分断面図。
【図５】二重ピン構造のロック機構の側部断面構造を示す断面図。
【図６】同二重ピン構造のロック機構のロック解除時の側部断面構造を示す断面図。
【発明を実施するための形態】
【００３８】
以下、本発明の可変バルブタイミング機構のロック機構を具体化した一実施の形態を、図１〜図３を参照して詳細に説明する。
まず、本実施の形態の可変バルブタイミング機構のロック機構の構成を、図１及び図２を参照して説明する。
【００３９】
なお、本実施の形態のロック機構の適用される可変バルブタイミング機構は、そのロック機構の構成を除き、図４に示したものと同様の構成となっている。すなわち、本実施の形態の適用される可変バルブタイミング機構は、機関出力軸及びカム軸の一方及び他方とそれぞれ同期回転するとともに、同軸を有して相対回動可能に配設されたハウジング３及びベーンローター１の２つの回転体を備え、それらの相対回動を通じて機関バルブのバルブタイミングを可変とするように構成されている。
【００４０】
そして本実施の形態のロック機構は、こうした可変バルブタイミング機構において、ベーンローター１及びハウジング３の相対回動範囲の中間において、それら２つの相対回動を係止する中間ロックを行うように構成されている。また、本実施の形態のロック機構は、インナーピン及びアウターピンからなる二重ピン構造のロック機構として構成されており、その基本的な構成は、図５に示したものと同様とされている。すなわち、本実施の形態のロック機構は、図１に示すように、インナーピン２１と、そのインナーピン２１に外挿される環形状のアウターピン２２と、を備え、アウターピン２２のインナーピン２１の基端側への変位に応じて同インナーピン２１がその基端側に変位される二重ピン構造のロック機構として構成されている。そして、ハウジング３を構成するカムスプロケット２に形成されたロック穴３６にインナーピン２１の先端を係合することで、ベーンローター１とハウジング３との相対回動を係止する構造となっている。
【００４１】
また、上述したように、こうしたロック機構では、ベーンローター１に形成された収容孔２０におけるインナーピン２１の基端側の開口をガイドブッシュ２３により閉塞することで、収容孔２０にインナーピン２１の収容空間２６が形成されている。そして、ガイドブッシュ２３には、インナーピン２１の外周と摺接する摺接面２７ａを有するガイド穴２７が形成されている。
【００４２】
こうしたロック機構では、摺接面２７ａよりもインナーピン２１の基端側におけるガイド穴２７の内径がインナーピン２１の基端部分の外径よりも大きくされており、そうした部分には、ガイド穴２７の内周とインナーピン２１の外周との間に間隙Ｓが形成されている。そして、こうしたロック機構では、そうした間隙Ｓに、オイル中の異物が溜ることが確認されている。
【００４３】
そこで、本実施の形態では、上記間隙Ｓに溜った異物の排出経路を形成することで、インナーピン２１とガイド穴２７との摺接部への異物の侵入を抑えるようにしている。すなわち、本実施の形態の可変バルブタイミング機構のロック機構では、図２に示すように、ガイド穴２７の内部と収容空間２６のガイド穴２７の外側とを連通する連通孔３７をガイドブッシュ２３に形成している。この連通孔３７は、インナーピン２１との摺接面２７ａよりも基端側におけるガイド穴２７の内周からガイドブッシュ２３の径方向に延伸されている。なお、連通孔３７の断面積（オイルの流路面積）は、インナーピン２１とガイド穴２７との摺接部の隙間の断面積よりも十分大きくされている。
【００４４】
さらに、インナーピン２１の基端側における収容孔２０の内周には、軸方向に延びる溝が形成されている。そして、この溝により、収容孔２０とガイドブッシュ２３との嵌合部を通り、収容空間２６のガイド穴２７の外側と可変バルブタイミング機構の外部とを連通するドレイン通路３８が形成されている。このドレイン通路３８は、連通孔３７よりもその断面積（オイルの流路面積）が小さくなるように形成されている。ちなみに、ドレイン通路３８は、その収容空間２６に対する開口が、ガイドブッシュ２３の外周における連通孔３７の開口と対向するように形成されている。
【００４５】
続いて、こうした本実施の形態の可変バルブタイミング機構のロック機構の作用を説明する。
ロック解除時には、アウターピン解除油路３１を通じてアウターピン解除油室３０にロック解除油圧が導入され、これにより、アウターピン２２がインナーピン２１と共に基端側に変位される。なお、このときの遅角油室９及び進角油室１０には、ロック解除後のベーンローター１の回動を規制するため、双方共に油圧が導入されている。
【００４６】
図３に示すように、こうしたロック解除の途中には、遅角油室９からインナーピン２１に形成された貫通孔２１ａを通って、ガイド穴２７のインナーピン２１の後背の部分にオイルが流入する。そのため、ガイド穴２７のインナーピン２１の後背の部分の油圧は、ドレイン通路３８を通じて大気開放されていることから大気圧となる収容空間２６のガイド穴２７の外側の油圧よりも高くなる。
【００４７】
このとき、本実施の形態では、インナーピン２１とガイド穴２７との摺接部の隙間よりも断面積が大きくなるように連通孔３７が形成されている。そのため、こうしたオイルは、より流動抵抗の小さい連通孔３７を通って、収容空間２６のガイド穴２７の外側に流出するようになる。そして収容空間２６のガイド穴２７の外側に流入したオイルは、ドレイン通路３８を通って可変バルブタイミング機構の外部に排出される。このとき、上記間隙Ｓに溜った異物は、こうしたオイルの流れにより押し流されて、オイルと共に可変バルブタイミング機構の外部に排出される。
【００４８】
なお、ロック中には、インナーピン２１の先端とロック穴３６の底面との当接により、ロック解除後には、インナーピン２１の基端とガイド穴２７の底面との当接により、インナーピン２１の貫通孔２１ａを通じたオイルの流れが阻止される。そのため、連通孔３７及びドレイン通路３８を通じた外部へのオイルの流出は、ロック解除の途中に限られ、連通孔３７の形成によりオイルリーク量の増大は、限定されたものとなる。
【００４９】
ちなみに、こうした本実施の形態では、ハウジング３が本発明における第１の回転体に、ベーンローター１が本発明における第２の回転体にそれぞれ対応する構成となっている。また、本実施の形態では、インナーピン２１が本発明におけるロックピンに対応する構成となっている。
【００５０】
以上の本実施の形態の可変バルブタイミング機構のロック機構によれば、以下の効果を奏することができる。
（１）本実施の形態では、インナーピン２１の外周との摺接面２７ａよりも基端側におけるガイド穴２７の内部と収容空間２６のガイド穴２７の外側とを連通する連通孔３７をガイドブッシュ２３に形成している。そのため、インナーピン２１とガイド穴２７との摺接部へのオイル中の異物の侵入が抑えられる。しかも、連通孔３７は、可変バルブタイミング機構の外部に直接連通されていないため、オイルリーク量の増大は抑えつつ、連通孔３７の流路面積を大きくすることができる。したがって、本実施の形態によれば、オイルリーク量の増大を抑えつつ、オイル中の異物の噛み込みによるロック機構の作動不良を好適に抑制することができる。
【００５１】
（２）本実施の形態では、摺接面２７ａよりも基端側におけるガイド穴２７の内周より、同ガイド穴２７の径方向に延伸するように連通孔３７が形成されている。そのため、摺接面２７ａよりも基端側におけるガイド穴２７の内周とインナーピン２１の外周との間隙Ｓに溜る異物をより的確に排除することが可能となり、オイル中の異物の噛み込みによるロック機構の作動不良をより確実に抑えられる。
【００５２】
（３）本実施の形態では、収容空間２６のガイド穴２７の外側と可変バルブタイミング機構の外部とを連通するドレイン通路３８が設けられているため、オイル中の異物を外部に排除することができる。なお、インナーピン２１及びガイド穴２７の摺接部にオイルが流れないようにするため、大きい流路面積が必要な連通孔３７とは異なり、ドレイン通路３８の流路面積は、余り大きくする必要がないことから、収容空間２６を経由してオイル中の異物を外部に排出する構造とすることで、オイルリーク量の増大を抑えることが可能である。
【００５３】
なお、上記実施の形態は、以下のように変更して実施することもできる。
・上記実施の形態では、ドレイン通路３８の収容空間２６に対する開口を、ガイドブッシュ２３の外周における連通孔３７の開口と対向させていたが、レイアウト上、そうした開口の配置が困難な場合などには、両開口の位置をずらした構成としても良い。
【００５４】
・上記構成では、収容孔２０の内周に溝を形成することで、ドレイン通路３８を形成していたが、ベーン５の内部に穴を空けるなど、他の方法により、収容空間２６と可変バルブタイミング機構の外部とを連通するドレイン通路を形成するようにしても良い。
【００５５】
・上記構成では、ドレイン通路３８を通じて収容空間２６を外部に連通することで、最終的に可変バルブタイミング機構の外部に異物を排出するようにしていたが、異物をオイルと共にオイルパンに戻したり、可変バルブタイミング機構の内部等に形成した空間に排除した異物を捕集しておくようにしたりしても良い。
【００５６】
・上記実施の形態では、摺接面２７ａよりもインナーピン２１の基端側におけるガイド穴２７の内周より、同ガイド穴２７の径方向に延伸するように連通孔３７を形成していた。尤も、摺接面２７ａよりもインナーピン２１の基端側におけるガイド穴２７の内部と収容空間２６のガイド穴２７の外側とを連通し、かつオイルの流動抵抗が十分小さくなるように連通孔が形成されていれば、オイルリーク量の増大を抑えつつ、インナーピン２１とガイド穴２７との摺接部への異物の噛み込みを抑えることが可能である。
【００５７】
・上記実施の形態では、ベーンローター１及びハウジング３の相対回動範囲の中間においてそれらの相対回動を係止する中間ロック機構として本発明を具体化した場合の例を説明したが、本発明は、上記相対回動範囲の端において相対回動の係止を行うロック機構として実施することも可能である。
【００５８】
・上記実施の形態では、インナーピン２１、アウターピン２２の二重ピン構造のロック機構として本発明を具体化した場合の例を説明したが、本発明は、単一のロックピンのみを備えるロック機構にもその適用が可能である。要は、収容孔のロックピンの基端側の開口を閉塞することでロックピンの収容空間が形成され、ロックピンの外周と摺接する摺接面を有するガイド穴が形成されたガイドブッシュを備えるロック機構であれば、本発明を適用することが可能である。
【００５９】
・上記実施の形態では、カム軸と同期回転する側の回転体（ベーンローター１）にロックピン（インナーピン２１）が、機関出力軸と同期回転する側の回転体（ハウジング３）にロック穴３６がそれぞれ設けられた構成とされている。これに対して、機関出力軸と同期回転する側の回転体にロックピンを、カム軸と同期回転する側の回転体にロック穴を、それぞれ設けるようにロック機構を構成することも可能である。
【符号の説明】
【００６０】
１…ベーンローター（第２の回転体：４…ローター本体、５…ベーン）、３…ハウジング（第１の回転体：２…カムスプロケット、６…リング部、７…カバー）、８…凹部、９…遅角油室、１０…進角油室、１１…収容孔、１２…ロックピン、１３…スプリング、２０…収容孔、２１…インナーピン（ロックピン）、２１ａ…貫通孔、２２…アウターピン、２３…ガイドブッシュ、２４…円孔、２５…リングブッシュ、２６…収容空間、２７…ガイド穴、２７ａ…摺接面、２８…インナーピンスプリング、２９…アウターピンスプリング、３０…アウターピン解除油室、３１…アウターピン解除油路、３２…凸部、３３…油室連通路、３４…油室連通路、３５…ロック溝、３６…ロック穴、３７…連通孔、３８…ドレイン通路。
【図１】
0005834958.tif 000002
【図２】
0005834958.tif 000003
【図３】
0005834958.tif 000004
【図４】
0005834958.tif 000005
【図５】
0005834958.tif 000006
【図６】
0005834958.tif 000007